(57)【要約】      （修正有）【課題】カバー部材を開閉する操作を滑らかにすることができる画像形成装置を提供する。【解決手段】画像形成装置は、筐体２と、第１カバー部材１０と、第２カバー部材２０と、画像形成機構と、スイッチ３と、作用部３０とを備える。スイッチ３は、画像形成機構に対する電力供給をオンオフする。作用部３０は、移動部材４とレバー部材４０とを含む。第１カバー部材１０は、第１開位置と第１閉位置との間で回動する。第２カバー部材２０は、第２開位置と第２閉位置との間で回動する。第１カバー部材１０の第１閉位置への回動に連動して、移動部材４はスイッチ３に当接可能な位置にレバー部材４０を移動する。第１カバー部材１０の第１閉位置への回動に続く第２カバー部材２０の第２閉位置への回動に連動して、レバー部材４０はスイッチ３をオンする。【選択図】図６
2018001491.tif 000002
【特許請求の範囲】
【請求項１】
筐体と、
前記筐体の第１面に設けられた第１カバー部材と、
前記筐体の第２面に設けられた第２カバー部材と、
シートに画像を形成する画像形成機構と、
前記画像形成機構に対する電力供給をオンオフするスイッチと、
移動部材とレバー部材とを含む作用部と
を備え、
前記第１カバー部材は、第１開位置と第１閉位置との間で回動し、
前記第２カバー部材は、第２開位置と第２閉位置との間で回動し、
前記第２カバー部材の前記第２閉位置への回動に先行する前記第１カバー部材の前記第１閉位置への回動に連動して、前記移動部材は前記スイッチに当接可能な位置に前記レバー部材を移動させ、前記第１カバー部材の前記第１閉位置への回動に続く前記第２カバー部材の前記第２閉位置への回動に連動して、前記レバー部材は前記スイッチをオンし、
前記第１カバー部材の前記第１閉位置への回動に先行する前記第２カバー部材の前記第２閉位置への回動に連動して、前記レバー部材は前記スイッチに当接可能な位置に回動し、前記第２カバー部材の前記第２閉位置への回動に続く前記第１カバー部材の前記第１閉位置への回動に連動して、前記レバー部材は前記スイッチをオンする、画像形成装置。
【請求項２】
前記レバー部材は、前記スイッチに当接可能な第１回動位置と、前記スイッチに当接不可能な第２回動位置との間で回動可能であり、
前記作用部は、前記レバー部材が前記第２回動位置に回動するように前記レバー部材を付勢する付勢部を更に含む、請求項１に記載の画像形成装置。
【請求項３】
前記付勢部が、前記レバー部材の回動軸に対して垂直に前記レバー部材に配設される薄板状部材を含む、請求項２に記載の画像形成装置。
【請求項４】
前記レバー部材は、前記第２カバー部材が前記第２閉位置に位置している状態で、前記第１カバー部材が前記第１閉位置に回動したときに、前記第２カバー部材に摺接する、請求項１から請求項３のいずれか１項に記載の画像形成装置。
【発明の詳細な説明】
【技術分野】
【０００１】
本発明は、画像形成装置に関する。
【背景技術】
【０００２】
特許文献１に記載の画像形成装置は、筐体と、上カバーと、前カバーと、リミットスイッチと、レバー部材とを備える。上カバー及び前カバーは、筐体に対して回動可能である。レバー部材は、上カバーの回動に連動して上下に移動可能であり、前カバーの回動に連動して回動可能である。
【０００３】
レバー部材は、リミットスイッチのストライカーに当接する当接部を有している。当接部は、ストライカーに上方向から当接し、リミットスイッチをオンする。特許文献１に記載の画像形成装置においては、前カバーが閉じられるとレバー部材が回動し、当接部はストライカーに当接可能な位置に移動する。前カバーが閉じられた状態で上カバーが閉じられるとレバー部材が下方向に移動する。レバー部材が下方向に移動すると、当接部がストライカーに上方向から当接し、リミットスイッチはオンされる。
【０００４】
一方、前カバーよりも先に上カバーが閉じられると、当接部はストライカーに当接せずに、ストライカーよりも下方向の位置に移動する。当接部がストライカーよりも下方向の位置に移動すると、前カバーを閉じても、当接部はストライカーに上方向から当接できない。その結果、リミットスイッチがオンされない。
【０００５】
そこで、特許文献１に記載の画像形成装置は連動機構を備える。上カバーが閉じられた後に前カバーが閉じられると、連動機構は、前カバーが閉じる動きに連動して上カバーを持ち上げ、前カバーが閉じられた後に上カバーを再び閉じるように動作する。
【先行技術文献】
【特許文献】
【０００６】
【特許文献１】特開２００５−４９４６６号公報
【発明の概要】
【発明が解決しようとする課題】
【０００７】
しかしながら、特許文献１に記載の画像形成装置においては、前カバーを閉じるときに、既に閉じられている上カバーを開くような動作が行われる。その結果、前カバーを閉じる操作の滑らかさが損なわれる。
【０００８】
本発明は、上記課題に鑑みてなされたものであり、カバー部材を開閉する操作を滑らかにすることができる画像形成装置を提供することを目的としている。
【課題を解決するための手段】
【０００９】
本発明の第１局面によれば、画像形成装置は、筐体と、第１カバー部材と、第２カバー部材と、画像形成機構と、スイッチと、作用部とを備える。第１カバー部材は、前記筐体の第１面に設けられる。第２カバー部材は、前記筐体の第２面に設けられる。画像形成機構は、シートに画像を形成する。スイッチは、前記画像形成機構に対する電力供給をオンオフする。作用部は、移動部材とレバー部材とを含む。前記第１カバー部材は、第１開位置と第１閉位置との間で回動する。前記第２カバー部材は、第２開位置と第２閉位置との間で回動する。前記第２カバー部材の前記第２閉位置への回動に先行する前記第１カバー部材の前記第１閉位置への回動に連動して、前記移動部材は前記スイッチに当接可能な位置に前記レバー部材を移動する。前記第１カバー部材の前記第１閉位置への回動に続く前記第２カバー部材の前記第２閉位置への回動に連動して、前記レバー部材は前記スイッチをオンする。前記第１カバー部材の前記第１閉位置への回動に先行する前記第２カバー部材の前記第２閉位置への回動に連動して、前記レバー部材は前記スイッチに当接可能な位置に回動する。また、前記第２カバー部材の前記第２閉位置への回動に続く前記第１カバー部材の前記第１閉位置への回動に連動して、前記レバー部材は前記スイッチをオンする。
【発明の効果】
【００１０】
本発明によれば、カバー部材を開閉する操作を滑らかにすることができる。
【図面の簡単な説明】
【００１１】
【図１】本発明の一実施形態に係る画像形成装置を示す図である。
【図２】図１の画像形成装置を示す図である。
【図３】画像形成装置の内部構造を示す図である。
【図４】状態Ａの第１カバー部材と、第２カバー部材とを示す図である。
【図５】状態Ｂの第１カバー部材と、第２カバー部材とを示す図である。
【図６】状態Ｃの第１カバー部材と、第２カバー部材とを示す図である。
【図７】状態Ｄの第１カバー部材と、第２カバー部材とを示す図である。
【図８】レバー部材を示す図である。
【図９】レバー部材を示す図である
【発明を実施するための形態】
【００１２】
以下、図１〜図９を参照して、本発明の一実施形態を説明する。なお、図中、同一又は相当部分については同一の参照符号を付して説明を繰り返さない。
【００１３】
図１及び図２を参照して、本発明の一実施形態に係る画像形成装置１の概略構成を説明する。図１及び図２は、本発明の一実施形態に係る画像形成装置１を示す。
【００１４】
図１及び図２に示すように、画像形成装置１は、筐体２と、第１カバー部材１０と、第２カバー部材２０と、インターロックスイッチ３（スイッチ）と、作用部３０と、画像形成機構１００とを備える。画像形成機構１００は、シートに画像を形成する。
【００１５】
第１カバー部材１０は、筐体２の第１面Ｓ１に設けられ、第１開位置と第１閉位置との間で回動する。第１面Ｓ１は、例えば筐体２の上面である。第２カバー部材２０は、筐体２の第２面Ｓ２に設けられ、第２開位置と第２閉位置との間で回動する。第２面Ｓ２は、例えば筐体２の前面である。図１において、第１カバー部材１０は第１閉位置に位置し、第２カバー部材２０は第２閉位置に位置する。図２において、第１カバー部材１０は第１開位置に位置し、第２カバー部材２０は第２開位置に位置する。
【００１６】
インターロックスイッチ３は、第１カバー部材１０及び第２カバー部材２０の開閉に応じて、画像形成機構１００に対する電力供給をオンオフする。例えば、インターロックスイッチ３は、スイッチオンの状態においてモーターへの電力供給を可能にし、スイッチオフの状態においてモーターへの電力供給を不可能にする。モーターは、例えばシートを搬送する搬送モーターである。
【００１７】
次に、図３〜図７を参照して、作用部３０を説明する。図３は、画像形成装置１の内部構造を示す。
【００１８】
図３に示すように、作用部３０は、移動部材４とレバー部材４０とを含む。移動部材４は、筐体２の第１面に交差する方向に沿って移動可能に筐体２に設けられる。例えば、移動部材４は、筐体２の上面に直交する方向に沿って移動可能に筐体２に設けられる。
【００１９】
図４は、状態Ａの第１カバー部材１０と、第２カバー部材２０とを示す。状態Ａにおいては、第１カバー部材１０は第１閉位置Ｐ１から離間し、第２カバー部材２０は第２閉位置Ｐ２から離間している。
【００２０】
レバー部材４０は、インターロックスイッチ３よりも下方向６Ａに位置する。レバー部材４０は、回動軸４１を回動中心として、回動可能に移動部材４に支持される。レバー部材４０は、第１腕部４２と、第２腕部４３と、薄板状部材４４と、軸受部４５とを有する。第１腕部４２は、第２カバー部材２０に当接する。第２腕部４３は、インターロックスイッチ３に当接する。薄板状部材４４は、回動軸４１に対して垂直にレバー部材４０に配設される。
【００２１】
レバー部材４０は、第１回動位置Ｐ２１と第２回動位置Ｐ２２との間で回動可能である。作用部３０は付勢部６０を更に含む。付勢部６０は、レバー部材４０が第２回動位置Ｐ２２に回動するようにレバー部材４０を付勢する。第１回動位置Ｐ２１において、第１腕部４２は、鉛直方向に沿って軸受部４５から下側に突出する。第２回動位置Ｐ２２において、第１腕部４２は、鉛直方向に対して傾いた方向に沿って、軸受部４５から下側に突出する。
【００２２】
また、第１回動位置Ｐ２１及び第２回動位置Ｐ２２の両方において、第２腕部４３は、鉛直方向に対して傾いた方向に沿って、軸受部４５から上側に突出する。
【００２３】
レバー部材４０が第１回動位置Ｐ２１に位置するとき、レバー部材４０は第２腕部４３がインターロックスイッチ３のボタン５に当接可能である。レバー部材４０が第２回動位置Ｐ２２に位置するとき、レバー部材４０はインターロックスイッチ３のボタン５に当接不可能である。
【００２４】
レバー部材４０は、付勢部６０によって、第２回動位置Ｐ２２に回動するように付勢される。具体的には、レバー部材４０は、薄板状部材４４の重量と、第２腕部４３の重量とによって、第２回動位置Ｐ２２に回動するように付勢される。従って、第２カバー部材２０が第２閉位置Ｐ２から離間しているとき、レバー部材４０は第２回動位置Ｐ２２に位置する。その結果、第２カバー部材２０が第２閉位置Ｐ２から離間しているとき、レバー部材４０はインターロックスイッチ３のボタン５に当接不可能であり、インターロックスイッチ３はオフである。なお、付勢部６０は、レバー部材４０を第２回動位置Ｐ２２に回動するように付勢するバネを含んでもよい。
【００２５】
図４に示すように、作用部３０は、リンク部５０を更に含む。リンク部５０は、回動軸５１を回動中心として、回動可能に筐体２に支持される。リンク部５０は、第１腕部５２と、第２腕部５３と、軸受部５４とを含む。第１腕部５２は、第１カバー部材１０に当接する。第２腕部５３と移動部材４とは連結される。
【００２６】
第１腕部５２は軸受部５４から所定方向に突出している。第２腕部５３は、第１腕部５２が軸受部５４から突出する方向と反対方向に軸受部５４から突出している。
【００２７】
図４に示すように、第１カバー部材１０が第１閉位置Ｐ１から離間しているとき、第１腕部５２は第１カバー部材１０と当接していない。第１腕部５２が第１カバー部材１０と当接していないと、第２腕部５３の回動先端部は、移動部材４の重量とレバー部材４０の重量とによって、下方向６Ａに移動する。第２腕部５３の回動先端部が下方向６Ａに移動すると、移動部材４が下方向６Ａに移動し、レバー部材４０も下方向６Ａに移動する。レバー部材４０が下方向６Ａに移動すると、レバー部材４０はインターロックスイッチ３に当接しない。従って、第１カバー部材１０が第１閉位置Ｐ１から離間すると、レバー部材４０はインターロックスイッチ３に当接せず、インターロックスイッチ３はオフである。
【００２８】
また、図４に示すように、第１カバー部材１０は突出部１１を有する。突出部１１は、筐体２の内部に向けて突出するように第１カバー部材１０の内側面に設けられ、第１腕部５２の回動先端部に当接する。
【００２９】
第２カバー部材２０は突出部２１を有する。突出部２１は、筐体２の内部に向けて突出するように第２カバー部材２０の内側面に設けられ、レバー部材４０の第１腕部４２に当接する。
【００３０】
図５は、状態Ｂの第１カバー部材１０と、第２カバー部材２０とを示す。状態Ｂにおいては、第１カバー部材１０は第１閉位置Ｐ１から離間し、第２カバー部材２０は状態Ａの位置から第２閉位置Ｐ２に回動している。
【００３１】
図５に示すように、第２カバー部材２０が第２閉位置Ｐ２に回動すると、突出部２１がレバー部材４０の第１腕部４２に当接する。第１腕部４２に突出部２１が当接すると、レバー部材４０は第１回動位置Ｐ２１に回動する。レバー部材４０が第１回動位置Ｐ２１に回動すると、レバー部材４０は第２腕部４３がインターロックスイッチ３のボタン５に当接可能になる。
【００３２】
図６は、状態Ｃの第１カバー部材１０と、第２カバー部材２０とを示す。状態Ｃにおいては、第１カバー部材１０は状態Ａの位置から第１閉位置Ｐ１に回動し、第２カバー部材２０は第２閉位置Ｐ２から離間している。
【００３３】
図６に示すように、第１カバー部材１０が第１閉位置Ｐ１に回動すると、突出部１１が第１腕部５２の回動先端部に当接し、第１腕部５２の回動先端部が下方向６Ａに移動する。第１腕部５２の回動先端部が下方向６Ａに移動すると、第２腕部５３の回動先端部が上方向６Ｂに移動し、移動部材４が上方向６Ｂに移動する。移動部材４が上方向６Ｂに移動すると、レバー部材４０は、インターロックスイッチ３のボタン５に当接可能な位置Ｐ１１まで上方向６Ｂに移動する。
【００３４】
図７は、状態Ｄの第１カバー部材１０と、第２カバー部材２０とを示す。状態Ｄにおいては、第１カバー部材１０は状態Ａの位置から第１閉位置Ｐ１に回動し、第２カバー部材２０は状態Ａの位置から第２閉位置Ｐ２に回動している。
【００３５】
図７に示すように、第１カバー部材１０が第１閉位置Ｐ１に回動し、第２カバー部材２０が第２閉位置Ｐ２に回動すると、レバー部材４０の第２腕部４３がインターロックスイッチ３のボタン５に当接する。その結果、インターロックスイッチ３がオンされる。なお、第１カバー部材１０と第２カバー部材２０との位置は、状態Ｂから状態Ｄに遷移することが可能であり、状態Ｃから状態Ｄに遷移することも可能である。
【００３６】
［状態Ｂから状態Ｄに遷移した場合］
図５に示す状態Ｂから、第１カバー部材１０が第１閉位置Ｐ１に回動すると、図７に示す状態Ｄに遷移する。状態Ｂから状態Ｄに遷移するとき、突出部１１が第１腕部５２の回動先端部に当接し、移動部材４が上方向６Ｂに移動する。移動部材４が上方向６Ｂに移動すると、レバー部材４０が上方向６Ｂに移動する。
【００３７】
レバー部材４０が上方向６Ｂに移動するとき、第１腕部４２と突出部２１とが摺接する。突出部２１と第１腕部４２とが摺接することによって、レバー部材４０が上方向６Ｂに移動しても、レバー部材４０の回動位置は、第１回動位置Ｐ２１に維持される。
【００３８】
また、第１回動位置Ｐ２１に位置するレバー部材４０が上方向６Ｂに移動することによって、第２腕部４３がインターロックスイッチ３のボタン５に当接し、インターロックスイッチ３がオンされる。
【００３９】
［状態Ｃから状態Ｄに遷移した場合］
図６に示す状態Ｃから、第２カバー部材２０が第２閉位置Ｐ２に回動すると、図７に示す状態Ｄに遷移する。状態Ｃから状態Ｄに遷移するとき、突出部２１がレバー部材４０の第１腕部４２に当接し、レバー部材４０は第１回動位置Ｐ２１に回動する。レバー部材４０が第１回動位置Ｐ２１に回動すると、第２腕部４３の回動先端部がインターロックスイッチ３のボタン５に当接し、インターロックスイッチ３はオンされる。
【００４０】
以上、図１〜図７を参照して説明したように、本実施形態の画像形成装置１においては、図６を参照して説明したように、第２カバー部材２０の第２閉位置Ｐ２への回動に先行する第１カバー部材１０の第１閉位置Ｐ１への回動に連動して、移動部材４はインターロックスイッチ３に当接可能な位置Ｐ１１にレバー部材４０を移動する。そして、図７を参照して説明したように、第１カバー部材１０の第１閉位置Ｐ１への回動に続く第２カバー部材２０の第２閉位置Ｐ２への回動に連動して、レバー部材４０はインターロックスイッチ３をオンする。
【００４１】
また、図５を参照して説明したように、第１カバー部材１０の第１閉位置Ｐ１への回動に先行する第２カバー部材２０の第２閉位置Ｐ２への回動に連動して、レバー部材４０はインターロックスイッチ３に当接可能な第１回動位置Ｐ２１に回動する。そして、図７を参照して説明したように、第２カバー部材２０の第２閉位置Ｐ２への回動に続く第１カバー部材１０の第１閉位置Ｐ１への回動に連動して、レバー部材４０はインターロックスイッチ３をオンする。
【００４２】
従って、本実施形態の画像形成装置１によれば、第１カバー部材１０が第１閉位置Ｐ１に位置する状態で第２カバー部材２０を第２閉位置Ｐ２に回動した場合にも、第２カバー部材２０が第２閉位置Ｐ２に位置する状態で第１カバー部材１０を第１閉位置Ｐ１に回動した場合にも、インターロックスイッチ３をオンすることができる。また、第１カバー部材１０が第１閉位置Ｐ１に位置する状態で第２カバー部材２０を第２閉位置Ｐ２に回動しても、例えば第１カバー部材１０が開かれることはない。更に、第２カバー部材２０が第２閉位置Ｐ２に位置する状態で第１カバー部材１０を第１閉位置Ｐ１に回動しても、例えば第２カバー部材２０が開かれることもない。その結果、第１カバー部材１０及び第２カバー部材２０を閉じる操作を滑らかに行うことができる。
【００４３】
また、図４を参照して説明したように、本実施形態の画像形成装置１によれば、付勢部６０によって、レバー部材４０が第２回動位置Ｐ２２に回動するように付勢される。従って、第２カバー部材２０が閉じられていない状態でインターロックスイッチ３がオンされることを防止できる。
【００４４】
次に、図８及び図９を参照して、薄板状部材４４を説明する。図８及び図９は、レバー部材４０を示す。
【００４５】
図８及び図９に示すように、付勢部６０は、薄板状部材４４を含む。回動軸４１が延びる方向６Ｃにおけるレバー部材４０の２つの端面（端面４０１及び端面４０２）のうち、一方の端面４０２に沿って、薄板状部材４４はレバー部材４０に配設されている。薄板状部材４４は、自重によって、レバー部材４０を第２回動位置Ｐ２２に回動するように付勢する。
【００４６】
具体的には、図８に示すように、レバー部材４０の第１腕部４２が第１回動位置Ｐ２１に位置するときに、方向７Ａが、方向７Ｂと、方向７Ｃとの間の方向になるように、薄板状部材４４は形成される。方向７Ａは、レバー部材４０の回動中心Ｑからレバー部材４０の重心Ｇに向かう方向を示す。方向７Ｂは、第１腕部４２が軸受部４５から突出する方向を示す。方向７Ｃは、第２腕部４３が軸受部４５から突出する方向を示す。方向７Ｂと方向７Ｃとが成す２つの角度（図８に示す角度θ１及び角度θ２）のうち、小さい方の角度θ１は、９０度よりも大きく、且つ１８０度よりも小さい。方向７Ａが、方向７Ｂと、方向７Ｃとの間の方向であり、方向７Ｂが下方向６Ａであることによって、レバー部材４０は自重によって第２回動位置Ｐ２２に回動するように付勢される。
【００４７】
以上、図８及び図９を参照して説明したように、本実施形態の画像形成装置１によれば、付勢部６０が薄板状部材４４を含む。従って、例えばバネを設けることなくレバー部材４０を第２回動位置Ｐ２２に回動するように付勢することができる。その結果、画像形成装置１の部品数を削減できる。
【００４８】
以上、図面（図１〜図９）を参照しながら本発明の実施形態について説明した。本発明の実施形態によれば、第１カバー部材１０が第１閉位置Ｐ１に位置する状態で第２カバー部材２０を第２閉位置Ｐ２に回動した場合にも、第２カバー部材２０が第２閉位置Ｐ２に位置する状態で第１カバー部材１０を第１閉位置Ｐ１に回動した場合にも、インターロックスイッチ３をオンすることができる。
【００４９】
但し、本発明は、上記の実施形態に限られるものではなく、その要旨を逸脱しない範囲で種々の態様において実施することが可能である（例えば、下記（１））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【００５０】
（１）本発明の実施形態においては、レバー部材４０はインターロックスイッチ３の下方向の位置に配設されているが、本発明は、これに限られない。レバー部材４０はインターロックスイッチ３の上方向の位置に配設されてもよい。レバー部材４０をインターロックスイッチ３の上方向の位置に配設するとき、インターロックスイッチ３のボタン５はインターロックスイッチ３の上面に配設される。リンク部５０は、第１カバー部材１０の第１閉位置Ｐ１への回動に連動して、移動部材４を下方向に移動する。
【産業上の利用可能性】
【００５１】
本発明は、画像形成装置に関するものであり、産業上の利用可能性を有する。
【符号の説明】
【００５２】
１      ：画像形成装置
２      ：筐体
３      ：インターロックスイッチ
４      ：移動部材
１０    ：第１カバー部材
２０    ：第２カバー部材
３０    ：作用部
４０    ：レバー部材
４４    ：薄板状部材
Ｐ１    ：第１閉位置
Ｐ２    ：第２閉位置
Ｐ２１  ：第１回動位置
Ｐ２２  ：第２回動位置
【図１】
2018001491.tif 000003
【図２】
2018001491.tif 000004
【図３】
2018001491.tif 000005
【図４】
2018001491.tif 000006
【図５】
2018001491.tif 000007
【図６】
2018001491.tif 000008
【図７】
2018001491.tif 000009
【図８】
2018001491.tif 000010
【図９】
2018001491.tif 000011